(57)【要約】【課題】キャスターを備え角パイプで構成されたフレームを倒れにくくする。【解決手段】角パイプ３０１には切欠き部が設けられているため、切欠き部が無い構成と比較すると、ブラケット２２がより前面側に位置し、上面側から見てキャスター２０が端に寄ることになる。また、背面側においても、同様に角パイプに切欠き部が設けられているため、切欠き部が無い構成と比較すると、ブラケット２２がより背面側に位置し、上面側から見てキャスター２０が端に寄ることになる。キャスター２０が端によることにより前面側と背面側との間でキャスター２０間の距離が長くなり、フレームが倒れにくくなる。【選択図】図６
2014116497.tif 000002
【特許請求の範囲】
【請求項１】
角パイプを矩形に枠組みして形成されたベースフレームであって、当該枠組みの長辺となる角パイプの下面側に複数の切欠き部を有するベースフレームと、
キャスターが取り付けられる板部を有し、当該板部の一部が前記切欠き部に収められたブラケットと、
前記板部に取り付けられ、前記ベースフレームを上面側からみたときに前記枠組みの外周より内側に位置するキャスターと
を有するフレーム。
【請求項２】
前記枠組みの長辺となる角パイプの両端に前記切欠き部がある請求項１に記載のフレーム。
【請求項３】
前記キャスターは、一部が前記ベースフレームの下面より上に位置する請求項１又は請求項２に記載のフレーム。
【請求項４】
角パイプを矩形に枠組みして形成されたベースフレームであって、当該枠組みの長辺となる角パイプが前記枠組みの内周側に複数の切欠き部を有するベースフレームと、
キャスターが取り付けられる板部を有し、当該板部の一部が前記切欠き部に収められたブラケットと、
前記板部に取り付けられ、前記ベースフレームを上面側からみたときに前記枠組みの外周より内側に位置するキャスターと
を有するフレーム。
【請求項５】
前記枠組みの長辺となる角パイプの両端に前記切欠き部がある請求項４に記載のフレーム。
【請求項６】
前記キャスターは、一部が前記ベースフレームの下面より上に位置する請求項４又は請求項５に記載のフレーム。
【請求項７】
請求項１乃至請求項６のいずれか一項に記載のフレームを備える電子機器。
【発明の詳細な説明】
【技術分野】
【０００１】
本発明は、フレーム及び電子機器に関する。
【背景技術】
【０００２】
特許文献１には、角形鋼管を枠組みした底部支持台にキャスターを取り付けた画像形成装置が開示されている。キャスターが取り付けられる角形鋼管は幅広で薄い角形鋼管であり、キャスターは角形鋼管の下面に取り付けられている。また、特許文献２には、画像形成装置のフレームを構成する角パイプのうち、下端を構成する角パイプにキャスターを取り付けることが開示されている。このフレームにおいては、下端を構成する角パイプには絞り加工が施されており、絞り加工がなされた部分にキャスターが取り付けられている。
【先行技術文献】
【特許文献】
【０００３】
【特許文献１】特開平１０−２３２５２５号公報
【特許文献２】特開２０００−２６９６６９号公報
【発明の概要】
【発明が解決しようとする課題】
【０００４】
本発明は、キャスターを備え角パイプで構成されたフレームを倒れにくくすることを目的とする。
【課題を解決するための手段】
【０００５】
本発明の請求項１に係るフレームは、角パイプを矩形に枠組みして形成されたベースフレームであって、当該枠組みの長辺となる角パイプの下面側に複数の切欠き部を有するベースフレームと、キャスターが取り付けられる板部を有し、当該板部の一部が前記切欠き部に収められたブラケットと、前記板部に取り付けられ、前記ベースフレームを上面側からみたときに前記枠組みの外周より内側に位置するキャスターとを有する。
【０００６】
本発明の請求項２に係るフレームは、請求項１の構成において、前記枠組みの長辺となる角パイプの両端に前記切欠き部がある構成を有する。
【０００７】
本発明の請求項３に係るフレームは、請求項１又は請求項２の構成において、前記キャスターは、一部が前記ベースフレームの下面より上に位置する構成を有する。
【０００８】
本発明の請求項４に係るフレームは、角パイプを矩形に枠組みして形成されたベースフレームであって、当該枠組みの長辺となる角パイプが前記枠組みの内周側に複数の切欠き部を有するベースフレームと、キャスターが取り付けられる板部を有し、当該板部の一部が前記切欠き部に収められたブラケットと、前記板部に取り付けられ、前記ベースフレームを上面側からみたときに前記枠組みの外周より内側に位置するキャスターとを有する。
【０００９】
本発明の請求項５に係るフレームは、請求項４の構成において、前記枠組みの長辺となる角パイプの両端に前記切欠き部がある構成を有する。
【００１０】
本発明の請求項６に係る電子機器は、請求項４又は請求項５の構成において、前記キャスターは、一部が前記ベースフレームの下面より上に位置する構成を有する。
【００１１】
本発明の請求項７に係る電子機器は、請求項１乃至請求項６のいずれか一項に記載のフレームを備える。
【発明の効果】
【００１２】
請求項１、４、７の構成によれば、角パイプで構成されたフレームが倒れにくくなる。
請求項２、５の構成によれば、角パイプの両端部に切欠き部を設けない構成と比較すると、フレームが倒れにくくなる。
請求項３、６の構成によれば、フレームの高さを抑えることができる。
【図面の簡単な説明】
【００１３】
【図１】本発明の一実施形態に係るフレーム１０の外観図
【図２】ベースフレーム３０を上面側から見た図。
【図３】フレーム１０を下面側から見た図。
【図４】角パイプ３０１（角パイプ３０２）の斜視図。
【図５】ブラケット２２の斜視図。
【図６】フレーム１０の正面右下部分を拡大した斜視図。
【図７】フレーム１０の正面右下部分の正面図。
【図８】フレーム１０の正面右下部分を下面側から見た図。
【図９】図７のＡ−Ａ線断面矢視図。
【図１０】ベースフレーム３０Ａを上面側から見た図。
【図１１】ベースフレーム３０Ａの下面側を示した図。
【図１２】角パイプ３０１Ａ（角パイプ３０２Ａ）の斜視図。
【図１３】ブラケット２２Ａの斜視図。
【図１４】ベースフレーム３０Ａを用いたフレームの正面右下部分を拡大した斜視図。
【図１５】ベースフレーム３０Ａを用いたフレームの正面右下部分の正面図。
【図１６】ベースフレーム３０Ａを用いたフレームの正面右下部分を下面側から見た図。
【図１７】図１５のＢ−Ｂ線断面矢視図。
【図１８】ベースフレーム３０Ｂを上面側から見た図。
【図１９】ベースフレーム３０Ｂの下面側を示した図。
【図２０】角パイプ３０１Ｂ（角パイプ３０２Ｂ）の斜視図。
【図２１】ベースフレーム３０Ｂを用いたフレームの正面右下部分を拡大した斜視図。
【図２２】ベースフレーム３０Ｂを用いたフレームの正面右下部分の正面図。
【図２３】ベースフレーム３０Ｂを用いたフレームの正面右下部分を下面側から見た図。
【図２４】図２２のＣ−Ｃ線断面矢視図。
【発明を実施するための形態】
【００１４】
［第１実施形態］
図１は、本発明の一実施形態に係る画像形成装置（電子機器の一例）が備えるフレーム１０の外観図である。フレーム１０は、複数の角パイプを溶接して組み合わせた構造物である。フレーム１０は、画像形成装置を構成する装置や部品を支持する。なお、図１においては、互いに直交するＸ軸、Ｙ軸、Ｚ軸で３次元空間の直交座標を示しており、鉛直方向にＺ軸、鉛直方向から見てフレーム１０の長辺に沿った方向をＸ軸、鉛直方向から見てフレーム１０の短辺に沿った方向をＹ軸としている。以下の説明においては説明の便宜上、Ｙ軸の正方向側を正面側、Ｙ軸の負方向側を背面側、Ｚ軸の正方向側を上面側、Ｚ軸の負方向側を下面側と称する場合がある。
【００１５】
図２は、フレーム１０において、底となる部分を上面側から見た図であり、図３は、底となる部分を下面側から見た図である。なお、図２においては、底となる部分より上面側にある部材の図示を省略している。図２に示したように、底となる部分は、複数の角パイプを枠組みし、枠組みされた角パイプの内側に角パイプを格子状に組んで構成されている。図３に示したように、組まれた角パイプの下面側には板２１とブラケット２２が溶接され、ブラケット２２には旋回キャスターであるキャスター２０が取り付けられる。この複数の角パイプが組まれたものを、以下の説明ではベースフレーム３０と称する。
【００１６】
ベースフレーム３０の外枠を構成する角パイプのうち、長辺となる角パイプ３０１と角パイプ３０２の形状は、図４に示したように、断面が矩形の角パイプの一部を切り取った形状となっている。具体的には、角パイプ３０１（角パイプ３０２）は、切欠き部３２０を有する。切欠き部３２０は、角パイプ３０１（角パイプ３０２）の長手方向に沿った幅の狭い一方の側面側から他方の側面側へ切り取ることにより形成されている。なお、切欠き部３２０の位置は、角パイプ３０１（角パイプ３０２）の長手方向の両端部と、両端部の間の予め定められた位置（本実施形態では長手方向の中央部）となっている。また、切欠き部３２０の長手方向の長さは、各々同じ長さとなっており、後述するブラケット２２の板部２２０の長手方向の長さより長くなっている。
【００１７】
次に図５は、ブラケット２２を下面側から見た図である。ブラケット２２は、金属の板に対して穴あけ加工とプレス加工を施したものである。ブラケット２２は、穴あけ加工がされた平で矩形の板部２２０を有する。板部２２０は、ボルトが通される穴２２１を有する。また、ブラケット２２は、板部２２０から下面側に曲げられた側面部２２２と、側面部２２２から水平方向へ曲げられた縁部２２３を有する。なお、ブラケット２２においては、上面側から見て矩形の板部２２０の二つの短辺の部分と、板部２２０の長辺のうちの一方の長辺の部分に側面部２２２と縁部２２３があり、板部２２０の長辺のうちの他方の部分には、側面部２２２と縁部２２３が設けられていない構成となっている。
【００１８】
ベースフレーム３０においては、角パイプ３０１と角パイプ３０２は、切欠き部３２０が下面側になるように、Ｘ軸方向に沿って距離をおいて配置されている。また、角パイプ３０１のＸ軸正方向側の端部は、角パイプ３０３のＹ軸正方向側の端部の側面に接し、角パイプ３０２のＸ軸正方向側の端部は、角パイプ３０３のＹ軸負方向側の端部の側面に接するように配置されており、接している部分が溶接されている。また、角パイプ３０１のＸ軸負方向側の端部は、角パイプ３０４のＹ軸正方向側の端部の側面に接し、角パイプ３０２のＸ軸負方向側の端部は、角パイプ３０４のＹ軸負方向側の端部の側面に接するように配置されており、接している部分が溶接されている。
【００１９】
角パイプ３０１〜３０４が溶接されると、図２に示されているように枠の形状となる。角パイプ３０１と角パイプ３０２の間には、角パイプ３０１から距離をおいて角パイプ３０５が角パイプ３０１と並んで配置され、角パイプ３０２から距離をおいて角パイプ３０６が角パイプ３０２と並んで配置されている。角パイプ３０５の一端は、角パイプ３０３の側面に溶接され、角パイプ３０５の他端は、角パイプ３０４の側面に溶接されている。また、角パイプ３０６の一端は、角パイプ３０３の側面に溶接され、角パイプ３０６の他端は、角パイプ３０４の側面に溶接されている。
【００２０】
角パイプ３０１と角パイプ３０５との間には、Ｘ軸方向へ距離を置いて角パイプ３０７〜３１０が並べられ、各角パイプの端部が角パイプ３０１と角パイプ３０５に溶接されている。なお、角パイプ３０７は、角パイプ３０１が有する切欠き部３２０のうち、正面側から見て右側にある切欠き部３２０の左側に配置されており、角パイプ３１０は、角パイプ３０１が有する切欠き部３２０のうち、正面側から見て左側にある切欠き部３２０の右側に配置されている。また、角パイプ３０８は、正面側から見て、角パイプ３０１の中央にある切欠き部３２０の右側に配置されており、角パイプ３０９は、正面側から見て、角パイプ３０１の中央にある切欠き部３２０の左側に配置されている。
【００２１】
ここで、上面側から見て角パイプ３０３と角パイプ３０７との間の距離は、ブラケット２２の板部２２０の長手方向の長さより長い距離となっており、上面側から見て角パイプ３０４と角パイプ３１０との間の距離は、ブラケット２２の板部２２０の長手方向の長さより長い距離となっている。また、上面側から見て角パイプ３０８と角パイプ３０９との間の距離も、ブラケット２２の板部２２０の長手方向の長さより長い距離となっている。
【００２２】
角パイプ３０２と角パイプ３０６との間には、Ｘ軸方向へ距離を置いて角パイプ３１１〜３１４が並べられ、各角パイプの端部が角パイプ３０２と角パイプ３０６に溶接されている。なお、角パイプ３１１は、角パイプ３０２が有する切欠き部３２０のうち、正面側から見て右側にある切欠き部３２０の左側に配置されており、角パイプ３１４は、角パイプ３０２が有する切欠き部３２０のうち、正面側から見て左側にある切欠き部３２０の右側に配置されている。また、角パイプ３１２は、正面側から見て、角パイプ３０２の中央にある切欠き部３２０の右側に配置されており、角パイプ３１３は、正面側から見て、角パイプ３０２の中央にある切欠き部３２０の左側に配置されている。
【００２３】
ここで、上面側から見て角パイプ３０３と角パイプ３１１との間の距離は、ブラケット２２の板部２２０の長手方向の長さより長い距離となっており、上面側から見て角パイプ３０４と角パイプ３１４との間の距離は、ブラケット２２の板部２２０の長手方向の長さより長い距離となっている。また、上面側から見て角パイプ３１２と角パイプ３１３との間の距離も、ブラケット２２の板部２２０の長手方向の長さより長い距離となっている。
【００２４】
上述したように角パイプを溶接したベースフレーム３０に対しては、ブラケット２２を用いてキャスター２０が取り付けられる。図６は、正面側からベースフレーム３０を見て右側にあるキャスター２０の部分を拡大した斜視図である。また、図７は、図６に示した部分の正面図、図８は、図６に示した部分を下面側から見た図、図９は、図７のＡ−Ａ線断面矢視図である。
角パイプ３０３、３０５、３０７で囲まれている部分には、ブラケット２２の板部２２０を下面側から挿入し、縁部２２３の上面側を角パイプ３０３、３０５、３０７の下面に接触させた後、角パイプ３０３、３０５、３０７の下面に縁部２２３を溶接している。ここで、角パイプ３０１の端部に切欠き部３２０があるため、図６、９に示したように、板部２２０において側面部２２２及び縁部２２３が設けられていない側が切欠き部３２０に収まる。板部２２０で切欠き部３２０に接する部分も溶接されている。
角パイプ３０１において切欠き部３２０がある部分は、ブラケット２２が溶接されるまでは、角パイプ３０１の一部を切り取ったことにより、内部空間が外部に通じる形となっているが、板部２２０が切欠き部３２０に溶接されることにより外部に通じている部分が塞がれ、擬似的に角パイプの形状となる。
【００２５】
なお、ベースフレーム３０の正面側においては、角パイプ３０５、３０８、３０９で囲まれている部分においても、図６の部分と同様にブラケット２２が挿入されて溶接される。ここで、正面側から見て角パイプ３０８と角パイプ３０９の間には切欠き部３２０があるため、このブラケット２２の板部２２０において側面部２２２及び縁部２２３が設けられていない側が、切欠き部３２０に収まる。また、角パイプ３０４、３０５、３１０で囲まれている部分においても、図６の部分と同様にブラケット２２が挿入されて溶接される。ここで、角パイプ３０１の端部に切欠き部３２０があるため、このブラケット２２の板部２２０において側面部２２２及び縁部２２３が設けられていない側が切欠き部３２０に収まる。
【００２６】
また、ベースフレーム３０の背面側においては、角パイプ３０３、３０６、３１１で囲まれている部分には、ブラケット２２の板部２２０を下面側から挿入し、縁部２２３の上面を角パイプ３０３、３０６、３１１の下面に接触させた後、角パイプ３０３、３０６、３１１の下面に縁部２２３を溶接している。ここで、角パイプ３０２の端部に切欠き部３２０があるため、板部２２０において側面部２２２及び縁部２２３が設けられていない側が切欠き部３２０に収まる。
なお、ベースフレーム３０の背面側においては、角パイプ３０６、３１２、３１３で囲まれている部分と、角パイプ３０４、３０６、３１４で囲まれている部分においても、図６の部分と同様にブラケット２２が挿入されて溶接され、これらのブラケット２２の板部２２０の一部が切欠き部３２０に収まる。
【００２７】
そして、このように、ベースフレーム３０に溶接されたブラケット２２に対しては、キャスター２０が取り付けられる。具体的には、キャスター２０の取付座に設けられた取付穴と、ブラケット２２に設けられた穴２２１に下面側からボルト４０が通され、ブラケット２２の上面側に突き出たボルト４０にナット（図示略）が嵌められる。ナットを締めていくと、ボルト４０によって取付座がブラケット２２に押し付けられ、キャスター２０の取付座がブラケット２２に固定される。
【００２８】
ここで、比較のため、切欠き部３２０を備えていない角パイプを採用したフレームについて説明する。図１０は、切欠き部３２０を備えていない角パイプ３０１Ａと角パイプ３０２Ａを採用したベースフレーム３０Ａを上面側から見た図、図１１は、ベースフレーム３０Ａを下面側から見た図、図１２は、角パイプ３０１Ａ（角パイプ３０２Ａ）の斜視図、図１３は、ベースフレーム３０Ａに取り付けられるブラケット２２Ａの斜視図である。
【００２９】
角パイプ３０１Ａと角パイプ３０２Ａの形状は、図１２に示したように、切欠き部３２０を備えない形状となっている。図１０に示したように、ベースフレーム３０Ａは、角パイプ３０１に替えて角パイプ３０１Ａを用い、角パイプ３０２に替えて角パイプ３０２Ａを用いている。そして図１１に示したように、枠組みされた角パイプの下面側には板２１とブラケット２２Ａが溶接され、ブラケット２２Ａにはキャスター２０が取り付けられる。
ブラケット２２Ａは、図１３に示したように、上面側から見て長方形の板部２２０の二つの短辺の部分と、板部２２０の二つの長辺の部分に側面部２２２と縁部２２３があり、各側面部２２２は、各々が水平方向へ曲げられた縁部２２３を有する。
【００３０】
次に、図１４は、正面側から見てベースフレーム３０Ａの右端の部分を拡大した斜視図、図１５は、図１４に示した部分の正面図、図１６は、図１４に示した部分を下面側から見た図、図１７は、図１５のＢ−Ｂ線断面矢視図である。
【００３１】
角パイプ３０１に替えて角パイプ３０１Ａを採用すると、図１２に示したように、角パイプ３０１Ａには切欠き部３２０が無いため、角パイプ３０１Ａ、３０３、３０５、３０７で囲まれた空間に対してブラケット２２Ａを下面側から挿入すると、図１７に示したように、ブラケット２２Ａの板部２２０と側面部２２２とが、この空間に収まることになる。また、角パイプ３０１Ａ、３０５、３０８、３０９で囲まれた空間と、角パイプ３０１Ａ、３０４、３０５、３１０で囲まれた空間にも、ブラケット２２Ａが下面側から挿入され、板部２２０と側面部２２２とが、この空間に収まることになる。
【００３２】
ここで、角パイプ３０１Ａに切欠き部３２０が無いことにより、ブラケット２２Ａの板部２２０を角パイプ３０１Ａより前面側に位置させることができないため、ベースフレーム３０に挿入されたブラケット２２と比較すると、ブラケット２２Ａの板部２２０は、角パイプ３０１ＡのＹ軸方向の幅の分、背面側に位置することとなる。
【００３３】
また、背面側においても、角パイプ３０２に替えて角パイプ３０２Ａを採用すると、角パイプ３０２Ａに切欠き部３２０が無いため、角パイプ３０２Ａ、３０３、３０６、３１１で囲まれた空間に対してブラケット２２Ａを下面側から挿入すると、ブラケット２２Ａの板部２２０と側面部２２２とが、この空間に収まることになる。また、角パイプ３０２Ａ、３０６、３１２、３１３で囲まれた空間と、角パイプ３０２Ａ、３０４、３０６、３１４で囲まれた空間にも、ブラケット２２Ａが下面側から挿入され、板部２２０と側面部２２２とが、この空間に収まることになる。
【００３４】
ここで、角パイプ３０２Ａに切欠き部３２０が無いことにより、ブラケット２２Ａを角パイプ３０２Ａより背面側に位置させることができないため、ベースフレーム３０に挿入されたブラケット２２と比較すると、背面側にあるブラケット２２Ａは、角パイプ３０２ＡのＹ軸方向の幅の分、前面側に位置することとなる。
【００３５】
ブラケット２２Ａは、図１７に示したように縁部２２３が角パイプに接するまで挿入され、縁部２２３が角パイプに溶接される。このように、ベースフレーム３０Ａに溶接されたブラケット２２Ａに対しては、キャスター２０が取り付けられる。具体的には、キャスター２０の取付座に設けられた取付穴と、ブラケット２２Ａに設けられた穴２２１に下面側からボルト４０が通され、ブラケット２２Ａの上面側に突き出たボルト４０にナット（図示略）が嵌められる。ナットを締めていくと、ボルト４０によって取付座がブラケット２２Ａに押し付けられ、キャスター２０の取付座がブラケット２２Ａに固定される。
【００３６】
ベースフレーム３０Ａにあっては、角パイプ３０１Ａに切欠き部３２０が無いため、図１６、１７に示したように、ブラケット２２Ａの板部２２０が角パイプ３０１Ａより前面側に位置せず、上面側から見てキャスター２０がベースフレーム３０Ａの縁から離れることになる。一方、本実施形態においては、角パイプ３０１に切欠き部３２０があるため、図９に示されているように、ブラケット２２の板部２２０が図１７の構成と比較して前面側に位置する。これにより、板部２２０の穴２２１が図１７の構成と比較して前面側に位置するため、上面側から見てキャスター２０がベースフレーム３０の縁に寄ることになる。
【００３７】
また、背面側においても、ベースフレーム３０Ａにあっては、角パイプ３０２Ａに切欠き部３２０が無いため、ブラケット２２Ａの板部２２０を背面側に位置せず、上面側から見てキャスター２０がベースフレーム３０Ａの縁から離れることなる。一方、本実施形態においては、角パイプ３０２に切欠き部３２０があるため、ブラケット２２の板部２２０が、より背面側に位置する。これにより、上面側から見てキャスター２０がベースフレーム３０の縁に寄ることになる。
【００３８】
角パイプ３０１及び角パイプ３０２に切欠き部３２０を設けない構成と比較すると、本実施形態においては、前面側のキャスター２０と背面側のキャスター２０との間の距離が広くなるため、前面側又は背面側へフレーム１０が倒れにくくなる。
また、本実施形態においては、格子状に組まれた角パイプで囲まれた空間にブラケット２２が挿入され、このブラケット２２にキャスター２０が取り付けられる。ベースフレーム３０Ａにおいて角パイプ３０１Ａと角パイプ３０２Ａの下面にキャスター２０を取り付ける構成と比較すると、キャスター２０の取付座の位置より下にベースフレーム３０の下面が位置するため、フレーム１０の高さが低くなる。
また、本実施形態においては、前面側と背面側にキャスター２０が露出するため、前面側又は背面側からボルト４０を回転させられる。
【００３９】
［第２実施形態］
次に、本発明の第２実施形態について説明する。第２実施形態においては、ベースフレーム３０に替えてベースフレーム３０Ｂを備える点が第１実施形態と異なる。ベースフレーム３０Ｂは、角パイプ３０１に替えて角パイプ３０１Ｂを備え、角パイプ３０２に替えて角パイプ３０２Ｂを備える点がベースフレーム３０と異なる。なお、他の構成は第１実施形態と共通している。このため、以下の説明及び図面においては、第１実施形態と共通する構成要素は、第１実施形態において用いた符号を付し、その説明を省略する。
【００４０】
図１８は、角パイプ３０１Ｂと角パイプ３０２Ｂを採用したベースフレーム３０Ｂを上面側から見た図、図１９は、ベースフレーム３０Ｂを下面側から見た図、図２０は、角パイプ３０１Ｂ（角パイプ３０２Ｂ）の斜視図である。なお、ベースフレーム３０Ｂに対しては、ブラケット２２Ｂが溶接される。ブラケット２２Ｂの形状は、図１３に示したブラケット２２Ａと同じ形状であり、側面部２２２のＺ軸方向の高さがブラケット２２Ａより高くなっている。
【００４１】
ベースフレーム３０Ｂの外枠を構成する角パイプのうち、長辺となる角パイプ３０１Ｂと角パイプ３０２Ｂの形状は、図２０に示したように、断面が矩形の角パイプの一部を切り取った形状となっている。具体的には、角パイプ３０１Ｂ（角パイプ３０２Ｂ）は、切欠き部３２０Ｂを有する。切欠き部３２０Ｂは、角パイプ３０１Ｂ（角パイプ３０２Ｂ）の長手方向に沿った幅の広い一方の側面側から他方の側面側へ切り取ることにより形成されている。なお、切欠き部３２０Ｂの位置は、角パイプ３０１Ｂ（角パイプ３０２Ｂ）の長手方向の両端部と、両端部の間の予め定められた位置（本実施形態では長手方向の中央部）となっている。また、切欠き部３２０Ｂの長手方向の長さは、各々同じ長さとなっており、ブラケット２２Ｂの板部２２０の長手方向の長さより長くなっている。
【００４２】
ベースフレーム３０Ｂにおいては、角パイプ３０１Ｂは、切欠き部３２０Ｂが背面側に向き、角パイプ３０２Ｂは、切欠き部３２０Ｂが前面側に向くように並べて配置されている。また、角パイプ３０１ＢのＸ軸正方向側の端部は、角パイプ３０３のＹ軸正方向側の側面の端部に接し、角パイプ３０２ＢのＸ軸正方向側の端部は、角パイプ３０３のＹ軸負方向側の側面の端部に接するように配置されており、接している部分が溶接されている。また、角パイプ３０１ＢのＸ軸負方向側の端部は、角パイプ３０４のＹ軸正方向側の側面の端部に接し、角パイプ３０２ＢのＸ軸負方向側の端部は、角パイプ３０４のＹ軸負方向側の側面の端部に接するように配置されており、接している部分が溶接されている。
【００４３】
角パイプ３０１Ｂと角パイプ３０５との間には、Ｘ軸方向へ距離を置いて角パイプ３０７〜３１０が並べられ、各角パイプの端部が角パイプ３０１Ａと角パイプ３０５に溶接されている。なお、角パイプ３０７は、角パイプ３０１Ａが有する切欠き部３２０のうち、正面側から見て右側にある切欠き部３２０Ｂの左側に配置されており、角パイプ３１０は、角パイプ３０１Ｂが有する切欠き部３２０Ｂのうち、正面側から見て左側にある切欠き部３２０Ｂの右側に配置されている。また、角パイプ３０８は、正面側から見て、角パイプ３０１Ｂの中央にある切欠き部３２０Ｂの右側に配置されており、角パイプ３０９は、正面側から見て、角パイプ３０１Ｂの中央にある切欠き部３２０Ｂの左側に配置されている。
【００４４】
角パイプ３０２Ｂと角パイプ３０６との間には、Ｘ軸方向へ距離を置いて角パイプ３１１〜３１４並べられ、各角パイプの端部が角パイプ３０２Ｂと角パイプ３０６に溶接されている。角パイプ３１１は、角パイプ３０２Ｂが有する切欠き部３２０のうち、正面側から見て右側にある切欠き部３２０Ｂの左側に配置されており、角パイプ３１４は、角パイプ３０２Ｂが有する切欠き部３２０Ｂのうち、正面側から見て左側にある切欠き部３２０Ｂの右側に配置されている。また、角パイプ３１２は、正面側から見て、角パイプ３０２Ｂの中央にある切欠き部３２０Ｂの右側に配置されており、角パイプ３１３は、正面側から見て、角パイプ３０２Ｂの中央にある切欠き部３２０Ｂの左側に配置されている。
【００４５】
図２１は、正面側から見てベースフレーム３０Ｂの右側にあるキャスター２０の部分を拡大した斜視図である。また、図２２は、図２１に示した部分の正面図、図２３は、図２１に示した部分を下面側から見た図、図２４は、図２２のＣ−Ｃ線断面矢視図である。
角パイプ３０１Ｂ、３０３、３０５、３０７で囲まれている部分には、ブラケット２２Ｂの板部２２０を下面側から挿入し、縁部２２３の上面を角パイプ３０１Ｂ、３０５、３０７の下面に接触させた後、角パイプ３０１Ｂ、３０３、３０５、３０７の下面に縁部２２３を溶接している。ここで、角パイプ３０１Ｂの端部には、角パイプ３０５側に切欠き部３２０Ｂがあるため、図２１、２４に示したように、ブラケット２２Ｂの一部が切欠き部３２０Ｂに収まる。
【００４６】
角パイプ３０１Ｂにおいて切欠き部３２０Ｂがある部分は、ブラケット２２Ｂが溶接されるまでは、角パイプ３０１Ｂの一部を切り取ったことにより、内部空間が外部に通じる形となっているが、側面部２２２を切欠き部３２０Ｂに接触させた状態で縁部２２３が溶接されると、外部に通じている部分が塞がれ、擬似的に角パイプの形状となる。
【００４７】
なお、ベースフレーム３０Ｂの正面側においては、角パイプ３０１Ｂ、３０５、３０８、３０９で囲まれている部分においても、図２１の部分と同様にブラケット２２Ｂが挿入されて溶接される。ここで、正面側から見て角パイプ３０８と角パイプ３０９の間には切欠き部３２０Ｂがあるため、ブラケット２２Ｂの一部が切欠き部３２０に収まる。また、角パイプ３０１Ｂ、３０４、３０５、３１０で囲まれている部分においても、図２１の部分と同様にブラケット２２が挿入されて溶接される。ここで、角パイプ３０１Ｂの端部に切欠き部３２０Ｂがあるため、このブラケット２２の一部が切欠き部３２０Ｂに収まる。
【００４８】
また、ベースフレーム３０Ｂの背面側においては、角パイプ３０２Ｂ、３０３、３０６、３１１で囲まれている部分には、ブラケット２２Ｂの板部２２０を下面側から挿入し、縁部２２３の上面を角パイプ３０２Ｂ、３０３、３０６、３１１の下面に接触させた後、角パイプ３０２Ｂ、３０３、３０６、３１１の下面に縁部２２３を溶接している。ここで、角パイプ３０２Ｂの端部に切欠き部３２０Ｂがあるため、ブラケット２２Ｂの一部が切欠き部３２０Ｂに収まる。
なお、ベースフレーム３０の背面側においては、角パイプ３０２Ｂ、３０６、３１２、３１３で囲まれている部分と、角パイプ３０２Ｂ、３０４、３０６、３１４で囲まれている部分においても、図２１の部分と同様にブラケット２２Ｂが溶接され、これらのブラケット２２の一部が切欠き部３２０Ｂに収まる。
【００４９】
そして、このように、ベースフレーム３０Ｂに溶接されたブラケット２２Ｂに対しては、キャスター２０が取り付けられる。具体的には、キャスター２０の取付座に設けられた取付穴と、ブラケット２２Ｂに設けられた穴２２１に下面側からボルト４０が通され、ブラケット２２Ｂの上面側に突き出たボルト４０にナット（図示略）が嵌められる。ナットを締めていくと、ボルト４０によって取付座がブラケット２２Ｂに押し付けられ、キャスター２０の取付座がブラケット２２Ｂに固定される。
【００５０】
第２実施形態においては、枠組みされた角パイプ３０１Ｂの角パイプ３０６側に切欠き部３２０Ｂがあるため、図２４に示されているように、ブラケット２２Ｂが図１７の構成と比較して前面側に位置する。これにより、板部２２０の穴２２１が図１７の構成と比較して前面側に位置するため、上面側から見てキャスター２０がベースフレーム３０の縁に寄ることになる。
また、背面側においても、第２実施形態においては、枠組みされた角パイプ３０２Ｂの角パイプ３０６側に切欠き部３２０Ｂがあるため、ブラケット２２が図１７の構成と比較して背面側に位置する。これにより、板部２２０の穴２２１が図１７の構成と比較して背面側に位置するため、上面側から見てキャスター２０がベースフレーム３０の縁に寄ることになる。
【００５１】
切欠き部３２０を設けない構成と比較すると、第２実施形態においては、前面側のキャスター２０と背面側のキャスター２０との間の距離が広くなるため、前面側又は背面側へフレーム１０が倒れにくくなる。
また、第２実施形態においては、格子状に組まれた角パイプで囲まれた空間にブラケット２２Ｂが挿入され、このブラケット２２Ｂにキャスター２０が取り付けられる。ベースフレーム３０Ａにおいて角パイプ３０１Ａと角パイプ３０２Ａの下面にキャスター２０を取り付ける構成と比較すると、キャスター２０の取付座の位置より下にベースフレーム３０Ｂの下面が位置するため、フレーム１０の高さが低くなる。
【００５２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５３】
上述した実施形態においては、ベースフレーム３０又はベースフレーム３０Ｂを備える電子機器は画像形成装置となっているが、ベースフレーム３０又はベースフレーム３０Ｂを備える装置は画像形成装置に限定されるものではない。例えば、ベースフレーム３０又はベースフレーム３０Ｂの構成を、サーバ装置のラックなど、角パイプでフレームが構成される装置に適用してもよい。
【００５４】
第１実施形態においては、角パイプ３０１と角パイプ３０２の中央部に切欠き部３２０が設けられているが、角パイプ３０１と角パイプ３０２の両端に切欠き部３２０を設け、他の位置には切欠き部３２０を設けないようにしてもよい。
また、第２実施形態においては、角パイプ３０１Ｂと角パイプ３０２Ｂの中央部に切欠き部３２０Ｂが設けられているが、角パイプ３０１Ｂと角パイプ３０２Ｂの両端に切欠き部３２０Ｂを設け、他の位置には切欠き部３２０Ｂを設けないようにしてもよい。
【００５５】
上述した実施形態においては、ベースフレーム３０、３０Ｂを構成する角パイプは、断面が角形となっているが、角パイプの断面形状は矩形に限定されるものではなく、矩形以外の多角形であってもよい。
【００５６】
上述した第１実施形態においては、角パイプ３０１、３０２は、両端部に切欠き部３２０があるが、この構成に限定されるものではなく、両端から予め定められた距離をおいた位置に切欠き部３２０を備える構成であってもよい。
また、上述した第２実施形態においては、角パイプ３０１Ｂ、３０２Ｂは、両端部に切欠き部３２０Ｂがあるが、この構成に限定されるものではなく、両端から予め定められた距離をおいた位置に切欠き部３２０Ｂを備える構成であってもよい。
【符号の説明】
【００５７】
１０…フレーム、２０…キャスター、２２、２２Ａ、２２Ｂ…ブラケット、３０、３０Ａ、３０Ｂ…ベースフレーム、２２０…板部、２２１…穴、２２２…側面部、２２３…縁部、３０１〜３１４…角パイプ、３０１Ａ、３０１Ｂ、３０２Ａ、３０２Ｂ…角パイプ、３２０、３２０Ｂ…切欠き部。
【図１】
2014116497.tif 000003
【図２】
2014116497.tif 000004
【図３】
2014116497.tif 000005
【図４】
2014116497.tif 000006
【図５】
2014116497.tif 000007
【図６】
2014116497.tif 000008
【図７】
2014116497.tif 000009
【図８】
2014116497.tif 000010
【図９】
2014116497.tif 000011
【図１０】
2014116497.tif 000012
【図１１】
2014116497.tif 000013
【図１２】
2014116497.tif 000014
【図１３】
2014116497.tif 000015
【図１４】
2014116497.tif 000016
【図１５】
2014116497.tif 000017
【図１６】
2014116497.tif 000018
【図１７】
2014116497.tif 000019
【図１８】
2014116497.tif 000020
【図１９】
2014116497.tif 000021
【図２０】
2014116497.tif 000022
【図２１】
2014116497.tif 000023
【図２２】
2014116497.tif 000024
【図２３】
2014116497.tif 000025
【図２４】
2014116497.tif 000026